(57)【要約】【課題】所望のレンズ形状を有するレンズキャップを製造するためのレンズキャップ製造方法を提供する。【解決手段】まず、シェル部材６は、平板部８の外面と凹部２の底部との間に隙間を空け、かつ、開孔７と凹部２とが平面視において同心円状に配置されるように、下型封止治具３に取り付けられる。また、レンズ部形成材料１０は、シェル部材６の開孔７を貫通した状態で配置される（図３（ａ））。次に、嵌合部１５がシェル部材６の中空内部に嵌合するように、上型封着治具５が配置される（図３（ｂ））。そして、嵌合部１５を垂直下方に摺動させながら、レンズ部形成材料１０を加熱して溶融させることによって、凹部２及び凹部４によって形成される空間に、溶融状態のレンズ部形成材料１０が充填される。これにより、凹部２及び４の形状に対応して、所望形状を有するレンズ部１２を備えるレンズキャップ１１が製造される（図３（ｃ））。【選択図】図３
2007093901.tif 000002
【特許請求の範囲】
【請求項１】
円形状の開孔が形成された平板部と、前記平板部の外周縁から垂直に立ち上がる側壁部とを含み、中空形状を有するシェル部材に、前記開孔を覆うようにレンズ部を形成することによって、レンズキャップを製造するレンズキャップ製造方法であって、
円形状の横断面を有する第１凹部が形成された第１治具を用意し、前記平板部の外面と前記第１凹部の底部との間に所定の間隔を空け、かつ、前記開孔と前記第１凹部とが前記平板部の内面側から見て同心円状に配置されるように、前記第１治具に対して前記シェル部材を配置するシェル部材配置工程と、
透光性と熱溶融性とを有する固形状のレンズ部形成材料を用意し、前記レンズ部形成材料の少なくとも一部が前記シェル部材の中空内部に収容されるように、前記レンズ部形成材料を配置するレンズ部形成材料配置工程と、
前記シェル部材の中空内部に摺動自在に嵌合する嵌合部が形成された第２治具を用意し、前記嵌合部の少なくとも一部が前記シェル部材の中空内部に嵌合するように前記第２治具を配置する第２治具配置工程と、
前記嵌合部が前記第１凹部の垂直上方に配置されている状態において、前記嵌合部を前記第１凹部の底部方向へと摺動させながら、前記レンズ部形成材料を加熱して溶融させる加熱工程と、
前記レンズ部形成材料を冷却することによって、前記シェル部材と一体的にレンズ部を形成するレンズ部形成工程と、
前記第１及び第２治具を前記シェル部材から取り外し、前記レンズ部と一体化された前記シェル部材を取り出す取出工程とを備える、レンズキャップ製造方法。
【請求項２】
前記嵌合部の底部には、円形状の横断面を有する第２凹部が形成されていることを特徴とする、請求項１に記載のレンズキャップ製造方法。
【請求項３】
前記平板部は、円形状を有し、
前記第１凹部の開口部の内径は、前記平板部の外径より大きく設定され、
前記シェル部材配置工程において、前記シェル部材は、前記平板部の外周縁の全体が前記第１凹部の内壁に当接するように配置されることを特徴とする、請求項１または請求項２に記載のレンズキャップ製造方法。
【請求項４】
前記第１凹部の上部における内壁は、前記側壁部の外周壁と同一形状に形成されていることを特徴とする、請求項３に記載のレンズキャップ製造方法。
【請求項５】
前記レンズ部形成材料の少なくとも一部は、前記開孔を挿通自在な形状に形成され、
前記固形材料配置工程において、前記固形材料は、前記開孔を貫通した状態で配置されることを特徴とする、請求項１から請求項４のいずれかに記載のレンズキャップ製造方法。
【請求項６】
前記第１及び第２治具の各々の熱膨張係数は、前記レンズ部形成材料の熱膨張係数と等しくなるように設定されていることを特徴とする、請求項１から請求項５のいずれかに記載のレンズキャップ製造方法。
【発明の詳細な説明】
【技術分野】
【０００１】
本発明は、レンズキャップ製造方法に関し、より特定的には、光半導体や発光ダイオード等の光学素子のパッケージに用いられるレンズキャップの製造方法に関するものである。
【背景技術】
【０００２】
図４は、従来のレンズキャップ製造方法によって製造されるレンズキャップの斜視図であり、図５は、図４に示されるＶ−Ｖラインの断面図である。図４及び図５に示されるレンズキャップ１２１は、半導体レーザ素子や発光ダイオード等の光学素子のパッケージにおいて、ステム上にマウントされた光学素子を覆うように取り付けられるものである。
【０００３】
図４及び図５に示されるレンズキャップ１２１は、金属シェル１１３と、レンズ部１２０とを備える。
【０００４】
金属シェル１１３は、円形状の透孔１２２が形成された天板部１１４と、天板部１１４の外周縁の全体から垂直に立ち上がる筒状部１１９とを備える。
【０００５】
レンズ部１２０は、透光性を有するガラス材によって形成され、金属シェル１１３の透孔１２２を貫通した状態で金属シェル１１３と一体化されている。また、レンズ部１２０において、透孔１２２から金属シェル１１３の外方に突出する部分と、開孔から金属シェル１１３の内方に突出する部分とは、それぞれ半球状に形成されている。
【０００６】
従来、上記のようなレンズキャップの製造方法として、カーボングラファイト製の組立治具に、円筒形状を有する金属シェル１１３とガラス材とを載置し、組立治具を加熱することによってガラス材を溶融させ、金属シェル１１３とガラス材とを溶着させることによってレンズ部１２０を形成する方法が知られている（例えば、特許文献１参照）。
【０００７】
図６は、特許文献１に記載されている従来のレンズキャップ製造方法を示す概略工程図である。
【０００８】
図６に示されるレンズキャップ製造方法においては、カーボングラファイト製の組立治具として、下型封着治具１１１及び上型封着治具１１８が用いられる。下型封着治具１１１には、横断面が円形状を有する貫通孔１１２が形成されている。一方、上型封着治具１１８には、金属シェル１１３の筒状部１１９の内部に挿入自在であり、かつ、内部に空所１１６が形成される円筒形状の押圧部１１７が形成されている。
【０００９】
まず、図３（ａ）に示されるように、予め予備酸化処理が施された金属シェル１１３は、下型封着治具１１１の貫通孔１１２に嵌め込まれる。次に、天板部１１４の内面上に、透明なガラス材よりなるガラス円板１１５が配置される。更に、金属シェル１１３の内部に押圧部１１７の下端部が嵌合するように、上型封着治具１１８が配置される。
【００１０】
次に、上型封着治具１１８と、下型封着治具１１１と、金属シェル１１３と、ガラス円板１１５とを加熱しながら、上型封着治具１１８を図３（ａ）における下方へと押圧する。ガラス円板１１５が溶融するにつれて、溶融ガラスは、図３（ａ）の破線に示されるように、透孔１２２から金属シェル１１３の外方へと流れ出す。また、溶融ガラスの一部は、金属シェル１１３の内壁と押圧部１１７の外面との隙間にも流れ込む。
【００１１】
そして、ガラス円板１１５が完全に溶融すると、溶融ガラスは、その表面張力によって、図３（ｂ）に示されるように、透孔１２２から天板部１１４の外面側及び内面側の各々へと、ほぼ半球状に突出する。その後、溶融ガラスを冷却によって固化させることにより、レンズ部１２０を備えるレンズキャップ１２１が形成される。
【特許文献１】特開昭５９−２１８４３０号公報
【発明の開示】
【発明が解決しようとする課題】
【００１２】
上記のような従来のレンズキャップの製造方法においては、溶融ガラスの表面張力（粘性）のみによって、レンズ部が成形されている。したがって、レンズ部の表面形状は、必然的に球面形状に限られる。
【００１３】
しかしながら、レンズキャップの内部に封入される光学素子の特性や用途に応じて、レンズ部によって光学特性を制御するために、球面形状以外の所望の形状を有するレンズ部を備えるレンズキャップが望まれている。
【００１４】
それ故に、本発明は、所望のレンズ形状を有するレンズキャップを製造するためのレンズキャップ製造方法を提供することを目的とする。
【課題を解決するための手段】
【００１５】
第１の発明は、円形状の開孔が形成された平板部と、平板部の外周縁から垂直に立ち上がる側壁部とを含み、中空形状を有するシェル部材に、開孔を覆うようにレンズ部を形成することによって、レンズキャップを製造するレンズキャップ製造方法に向けられている。当該レンズキャップ製造方法は、円形状の横断面を有する第１凹部が形成された第１治具を用意し、平板部の外面と第１凹部の底部との間に所定の間隔を空け、かつ、開孔と第１凹部とが平板部の内面側から見て同心円状に配置されるように、第１治具に対してシェル部材を配置するシェル部材配置工程と、透光性と熱溶融性とを有する固形状のレンズ部形成材料を用意し、レンズ部形成材料の少なくとも一部がシェル部材の中空内部に収容されるように、レンズ部形成材料を配置するレンズ部形成材料配置工程と、シェル部材の中空内部に摺動自在に嵌合する嵌合部が形成された第２治具を用意し、嵌合部の少なくとも一部がシェル部材の中空内部に嵌合するように第２治具を配置する第２治具配置工程と、嵌合部が第１凹部の垂直上方に配置されている状態において、嵌合部を第１凹部の底部方向へと摺動させながら、レンズ部形成材料を加熱して溶融させる加熱工程と、レンズ部形成材料を冷却することによって、シェル部材と一体的にレンズ部を形成するレンズ部形成工程と、第１及び第２治具をシェル部材から取り外し、レンズ部と一体化されたシェル部材を取り出す取出工程とを備える。
【００１６】
このような構成によれば、第２治具の嵌合部を第１凹部の底部側へと摺動させながら、レンズ部形成材料を加熱することによって、溶融されたレンズ部形成材料が第１凹部に充填されるので、第１凹部の形状に応じて、所望形状のレンズ部を備えるレンズキャップを製造することが可能となる。
【００１７】
この場合、嵌合部の底部には、円形状の横断面を有する第２凹部が形成されていても良い。
【００１８】
このような構成によれば、加熱工程において、溶融されたレンズ部形成材料が第２凹部と平板部の内面との間の隙間にも充填されるので、平板部の両方面側について所望形状を有するレンズ部を備えるレンズキャップを製造することが可能となる。
【００１９】
また、平板部は、円形状を有し、第１凹部の開口部の内径は、平板部の外径より大きく設定され、シェル部材配置工程において、シェル部材は、平板部の外周縁の全体が第１凹部の内壁に当接するように配置されても良い。
【００２０】
このような構成によれば、平板部の外面と第１凹部とによって、平板部の外面に形成されるレンズ部の部分の形状が規定されるため、平板部と第１凹部の形状のみによって、レンズ部を効率的に形成することが可能となる。
【００２１】
また、第１凹部の上部における内壁は、側壁部の外周壁と同一形状に形成されても良い。
【００２２】
このような構成によれば、第１治具に対するシェル部材の配置が安定するため、安定してレンズキャップを製造することが可能となる。
【００２３】
また、レンズ部形成材料の少なくとも一部は、開孔を挿通自在な形状に形成され、固形材料配置工程において、固形材料は、開孔を貫通した状態で配置されることが好ましい。
【００２４】
このような構成によれば、溶融状態のレンズ部形成材料は、その自重に加えて、第２治具の重量が加えられるため、溶融状態のレンズ部形成材料を第１凹部と平面部の外面とによって形成される隙間に確実に充填することが可能となる。
【００２５】
更に、第１及び第２治具の各々の熱膨張係数は、レンズ部形成材料の熱膨張係数と等しくなるように設定されていることが好ましい。
【００２６】
このような構成によれば、レンズ部形成工程における冷却時に、レンズ部形成材料の収縮率と第１及び第２治具の収縮率とが一致するため、レンズ部への損傷のないレンズキャップを製造することが可能となる。
【発明の効果】
【００２７】
本発明に係るレンズキャップ製造方法によれば、第１治具に形成された第１凹部の形状に応じて、所望形状を有するレンズ部を備えるレンズキャップを製造することが可能となる。また、第２治具の嵌合部における底部に第２凹部を形成すれば、平板部の両方面側について所望形状を有するレンズ部を備えるレンズキャップを製造することも可能となる。
【発明を実施するための最良の形態】
【００２８】
以下、本発明の実施の形態について、図面を参照しながら説明する。
【００２９】
（第１の実施形態）
図１は、本発明の第１の実施形態に係るレンズキャップ製造方法によって製造されるレンズキャップの一例を示す斜視図であり、図２は、図１に示されるＩＩ−ＩＩラインの断面図である。図１及び図２に示されるレンズキャップ１１は、半導体レーザ素子や発光ダイオード等の光学素子のパッケージにおいて、ステム上にマウントされた光学素子を覆うように取り付けられ、レンズ部１２によって光学特性を制御することができるものである。
【００３０】
図１及び図２に示されるレンズキャップ１１は、金属製のシェル部材６と、レンズ部１２とを備える。
【００３１】
シェル部材６は、円形状の開孔７が形成された平板部８と、平板部８の外周縁１４の全体から垂直に立ち上がる側壁部１３と、側壁部１３の端部に接続されるフランジ部９とを含む。一例として、シェル部材６は、鉄−ニッケル−コバルト合金によって形成されている。また、シェル部材６の表面には、予備酸化処理を施すことによって酸化被膜（図示せず）が予め形成されている。
【００３２】
レンズ部１２は、光透過性と熱溶融性とを有する材料によって、平板部８の開孔７を覆うように形成されている。特に、本実施形態においては、レンズ部１２は、透光性を有する硼珪酸ガラスによって形成されている。尚、本明細書においては、熱溶融性を有する材料とは、加熱することによって溶融し、冷却することによって固化する性質を有する材料のことをいう。
【００３３】
また、レンズ部１２は、平板部８を挟んでシェル部材６と一体化されている。レンズ部１２における平板部８の外面側に突出する部分と、レンズ部１２における平板部８の内面側に突出する部分との表面は、それぞれ所定の曲面形状を有するように形成されている。
【００３４】
図３は、本発明の第１の実施形態に係るレンズキャップ製造方法を模式的に示す概略工程図である。
【００３５】
まず、本実施形態に係るレンズキャップ製造方法において用いられる組立治具１について説明する。組立治具１は、例えば、耐熱性及び加工性に優れるカーボングラファイトによって形成され、下型封止治具３と、上型封着治具５とを含む。また、本実施形態においては、下型封止治具３及び上型封着治具５の各々の熱膨張係数は、レンズ部形成材料１０の熱膨張係数と等しくなるように設定されている。
【００３６】
下型封止治具３には、円形状の横断面を有する凹部２が形成されている。より特定的には、図３（ａ）に示されるように、凹部２における上部の内壁、すなわち、下型封止治具３の表面から所定の深さまでの部分における内壁は、シェル部材６の側壁部１３の外周壁とほぼ同一形状を有するように形成されている。ただし、凹部２の開口部の内径は、シェル部材６の側壁部１３の外径に対して僅かに大きく設定されている。また、凹部２における他の部分の内壁、すなわち、所定の深さから底部までの部分の内壁は、底部に向かって内径が小さくなるように形成されている。
【００３７】
一方、上型封着治具５には、図３（ｂ）に示されるように、シェル部材６の中空内部に摺動自在に嵌合する嵌合部１５が形成されている。また、嵌合部１５の底部には、円形状の横断面を有する凹部４が形成されている。
【００３８】
尚、本実施形態においては、下型封止治具３及び上型封着治具５の各々は、第１治具及び第２治具に相当する。
【００３９】
ここで、図３を参照しながら、本実施形態に係るレンズキャップ製造方法について説明する。
【００４０】
まず、図３（ａ）に示されるように、上記の下型封止治具３を用意し、下型封止治具３に対してシェル部材６を配置する。シェル部材６は、平板部８の外面と凹部２の底部との間に所定間隔を空け、かつ、平板部８の内面側（図３（ａ）における上方側）から見たときに、シェル部材６の開孔７と凹部２とが同心円状に配置されるように下型封止治具３に取り付けられる。特に、本実施形態においては、凹部２における上部の内壁は、シェル部材６の外周壁とほぼ同一形状に形成されているので、シェル部材６は、平板部８が凹部２の内部に収容された状態で、凹部２の上部に嵌合する。尚、このとき、シェル部材６のフランジ部９は、下型封止治具３の上面に当接する。
【００４１】
次に、透光性と熱溶融性とを有する固形状のレンズ部形成材料１０を用意し、レンズ部形成材料１０の少なくとも一部がシェル部材６の中空内部に収容されるように、レンズ部形成材料１０を配置する。特に、本実施形態においては、レンズ部形成材料１０は、シェル部材６の開孔７の内径より小さな外径を有する円柱形状に形成されているので、シェル部材６の開孔７を挿通自在である。したがって、レンズ部形成材料配置工程においては、図３（ａ）に示されるように、レンズ部形成材料１０は、シェル部材６の中空内部からシェル部材６の開孔７を貫通し、その端部が凹部２の内壁に当接した状態で配置される。
【００４２】
次に、図３（ｂ）に示されるように、上記の上型封着治具５を用意し、上型封着治具５に形成された嵌合部１５における底部から少なくとも一部が、シェル部材６の中空内部に嵌合するように、上型封着治具５を配置する。
【００４３】
次に、上型封着治具５の嵌合部１５が下型封止治具３に形成された凹部２の垂直上方に配置されている状態において、上型封着治具５と、下型封止治具３と、シェル部材６と、レンズ部形成材料１０とを加熱し、レンズ部形成材料１０を溶融させる。溶融したレンズ部形成材料１０は、その自重によって、平板部８の外面と凹部２とによって形成される隙間に流れ込む。また、上述したように、上型封着治具５に形成された嵌合部１５は、シェル部材６の中空内部を摺動自在となるように形成されているため、レンズ部形成材料１０が溶融するにつれて、嵌合部１５は、重力に従って、凹部２の底部方向（図３（ｂ）における下方向）へと摺動する。この結果、溶融状態のレンズ部形成材料１０には、その自重に加えて、上型封着治具５の重量が加えられる。
【００４４】
本実施形態に係るレンズキャップ製造方法においては、所望形状のレンズ部を形成することができるため、設計されるレンズ部の形状によっては、平板部の外面側及び内面側とで充填すべきレンズ部形成材料１０の量が異なることがある。この場合であっても、本実施形態のように、嵌合部１５を凹部２の底部方向へと摺動させながら、レンズ部形成材料１０を加熱溶融させることによって、溶融したレンズ部形成材料１０は、図３（ｃ）に示されるように、平板部８と凹部２とによって形成される隙間と、平板部８と凹部４とによって形成される隙間とにバランス良く充填される。
【００４５】
次に、上型封着治具５と、下型封止治具３と、シェル部材６と、溶融したレンズ部形成材料１０とを冷却することによって、レンズ部形成材料１０を固化させる。上述したように、上型封着治具５及び下型封止治具３の各々の熱膨張率は、レンズ部形成材料１０の熱膨張率とほぼ等しくなるように設定されている。したがって、レンズ部形成材料を冷却する過程において、溶融状態のレンズ部形成材料１０の収縮率と、上型封着治具及び下型封止治具３の収縮率とが一致するため、充填されたレンズ部形成材料１０と、凹部２及び凹部４の各々との間に隙間が生じたり、形成されたレンズ部１２にクラック等の損傷が生じたりすることが抑制される。溶融状態のレンズ部形成材料１０を固化させることによって、凹部２及び凹部４の内壁の形状に対応した所望の形状を有するレンズ部１２が、シェル部材６と一体的に形成される。
【００４６】
その後、上型封着治具５と下型封止治具３とをシェル部材６から取り外すことによって、レンズ部１２とシェル部材６とが一体化されたレンズキャップ１１が取り出される。
【００４７】
以上のように、本実施形態に係るレンズキャップの製造方法によれば、加熱工程において、嵌合部１５をその自重によって凹部２の底部側へと摺動させながら、レンズ部形成材料１０を溶融させることによって、溶融されたレンズ部形成材料が、凹部２と平板部８とによって形成される隙間に充填される。したがって、下型封止治具３に形成された凹部２の形状に応じて、所望形状のレンズ部１２を備えるレンズキャップを製造することが可能となる。
【００４８】
また、本実施形態のように、嵌合部１５の底部に凹部４を形成することによって、溶融されたレンズ部形成材料１０は、凹部４と平板部８の内面とによって形成される隙間にも充填される。よって、平板部８の外面側及び内面側の両方について所望形状を有するレンズ部１２を備えるレンズキャップ１１を製造することが可能となる。
【００４９】
また、本実施形態においては、シェル部材６は、凹部２の上部に嵌合した状態で、下型封止治具３に対して配置されている。これにより、下型封止治具３に対するシェル部材６の配置が安定するため、安定してレンズキャップを製造することができる。更に、図３（ａ）に示されるように、シェル部材６は、平板部８の外周縁１４の全体が凹部２の内壁に当接するように下型封止治具３に対して配置される。この結果、平板部８の外面と凹部２によって、平板部８の外面側に形成されるレンズ部１２の部分形状が規定される。よって、シェル部材６と、下型封止治具３に形成された凹部２のみによって効率的に所望形状のレンズ部を形成することが可能となる。
【００５０】
尚、上記の第１の実施形態においては、レンズ部の形状を特定しているが、下型封止治具の凹部及び上型封着治具の凹部の形状を適宜選択することによって、レンズ部の形状を、例えば、平坦面、片側曲面、両側曲面など任意に設定することが可能である。この場合、下型封止治具の凹部形状と、上型封着治具の凹部形状とは、同一であっても良いし、互いに異なっていても良い。また、凹部に形成される曲面は、球面状に限らず、丸みを帯びた錐形状等であっても良い。
【００５１】
また、上記の第１の実施形態においては、上型封着治具の嵌合部における底部にも凹部が形成されているが、レンズキャップの用途や機能等に応じて、嵌合部に凹部が形成されない上型封着治具が用いられても良い。
【００５２】
更に、上記の第１の実施形態では、レンズ部形成材料は、シェル部材の開孔を貫通した状態で配置されているが、シェル部材の平板部の内面上に載置された場合でも、同様に、所望形状のレンズ部を有するレンズキャップを製造することが可能である。
【００５３】
更に、上記の第１の実施形態では、下型封止治具に形成された凹部の上部における内壁は、シェル部材の側壁部の外周壁とほぼ同一形状、すなわち、ほぼ同一の内径を有するように形成されているが、凹部の開口部から底部へと内径が狭まるように凹部が形成されていても良い。
【００５４】
更に、上記の第１の実施形態において、下型封止治具及び上型封着治具に形成される凹部は、レンズ部形成工程において形成されたレンズ部を少なくとも型抜きすることができる形状であれば良い。
【００５５】
更に、上記の第１の実施形態では、下型封止治具に形成された凹部の開口部の内径は、シェル部材の平板部の外径より大きくなるように設定されているが、シェル部材の平板部の外径以下の寸法に設定されていても良い。この場合においても、下型封止治具に形成された凹部の形状に応じて、所望形状のレンズ部を有するレンズキャップを同様に製造することができるので、上記の第１の実施形態と同様の効果を奏することができる。
【産業上の利用可能性】
【００５６】
本発明に係るレンズキャップ製造方法は、所望の形状のレンズ部を有するレンズキャップを製造することを可能とするので、例えば、光学素子等の光学特性を制御するために必要とされる特殊なレンズ形状を有するレンズキャップ等の製造等に適用できる。
【図面の簡単な説明】
【００５７】
【図１】本発明の第１の実施形態に係るレンズキャップ製造方法によって製造されるレンズキャップの一例を示す斜視図
【図２】図１に示されるＩＩ−ＩＩラインの断面図
【図３】本発明の第１の実施形態に係るレンズキャップ製造方法を模式的に示す概略工程図
【図４】従来のレンズキャップ製造方法によって製造されるレンズキャップの斜視図
【図５】図４に示されるＶ−Ｖラインの断面図
【図６】従来の第１の実施形態に係るレンズキャップ製造方法を模式的に示す概略工程図
【符号の説明】
【００５８】
２、４  凹部
３  下型封止治具
５  上型封着治具
６  シェル部材
７  開孔
８  平板部
１０  レンズ部形成材料
１１  レンズキャップ
１２  レンズ部
１３  側壁部
１４  外周縁
１５  嵌合部
【図１】
2007093901.tif 000003
【図２】
2007093901.tif 000004
【図３】
2007093901.tif 000005
【図４】
2007093901.tif 000006
【図５】
2007093901.tif 000007
【図６】
2007093901.tif 000008